(57)【要約】      （修正有）【課題】統合番組リストにおいて、他機に記録されたコンテンツに対しては代替のサムネイル画像を表示する電子機器およびコンテンツ情報処理方法を提供する。【解決手段】電子機器は、自機が記録したコンテンツの情報と、少なくとも１つ以上の通信可能な他機が記録したコンテンツの情報との統合情報を表示させる指示を受け付ける受信部１１７と、コンテンツの情報と関連づけられた画像データが記録された画像記録部１１０４と、指示に基づいて、他機が記録したコンテンツの情報を取得する情報取得部２１０と、取得したコンテンツの情報に画像記録部に記録された画像を対応させる画像抽出部２２０と、を備える。【選択図】図１
2016063517.tif 000002
【特許請求の範囲】
【請求項１】
自機が記録したコンテンツの情報と、少なくとも１つ以上の通信可能な他機が記録したコンテンツの情報との統合情報を表示させる指示を受け付ける受信部と、
コンテンツの情報と関連づけられた画像データが記録された画像記録部と、
前記指示に基づいて、前記他機が記録した前記コンテンツの情報を取得する情報取得部と、
前記取得したコンテンツの情報に前記画像記録部に記録された画像を対応させる画像抽出部と、を備える電子機器。
【請求項２】
更に、前記取得したコンテンツの情報と前記自機が記録した前記コンテンツの情報とを統合する情報統合部と、
前記情報統合部によって生成され、前記取得したコンテンツの情報および前記画像抽出部によって対応させられた前記画像の組み合わせと前記自機が記録した前記コンテンツの情報および前記自機が記録した前記コンテンツ中に含まれる映像を利用して生成した画像の組み合わせとを、それぞれ、少なくとも１つ含む前記統合情報を表示器に表示する統合情報表示部と、を備える請求項１に記載の電子機器。
【請求項３】
前記コンテンツリストは、放送中または再生中の映像に対して、全表示領域の下側３分の１の領域内に重畳して表示される請求項２に記載の電子機器。
【請求項４】
前記情報は、録画番組のジャンル情報または番組タイトルである請求項１に記載の電子機器。
【請求項５】
自機が記録したコンテンツの情報と少なくとも１つ以上の通信可能な他機が記録したコンテンツの情報との統合情報を表示させる指示を受け付け、
コンテンツの情報と関連づけられた画像データが記録され、
前記指示に基づいて前記他機が記録した前記コンテンツの情報を取得し、
前記取得したコンテンツの情報に前記記録された画像を対応させるコンテンツ情報処理方法。
【請求項６】
更に、
前記取得したコンテンツの情報と前記自機が記録した前記コンテンツの情報とを統合し、
情報統合部によって生成され、前記取得したコンテンツの情報および前記対応させられた前記画像の組み合わせと前記自機が記録した前記コンテンツの情報および前記自機が記録した前記コンテンツ中に含まれる映像を利用して生成した画像の組み合わせとを、それぞれ、少なくとも１つ含む前記統合情報を表示する請求項５に記載のコンテンツ情報処理方法。
【請求項７】
前記コンテンツリストは、放送中または再生中の映像に対して、全表示領域の下側３分の１の領域内に重畳して表示される請求項６に記載のコンテンツ情報処理方法。
【請求項８】
前記情報は、録画番組のジャンル情報または番組タイトルである請求項５に記載のコンテンツ情報処理方法。
【発明の詳細な説明】
【技術分野】
【０００１】
実施形態は、電子機器およびコンテンツ情報処理方法に関する。
【背景技術】
【０００２】
ＤＬＮＡ（Digital Living Network Alliance）認証を受けた電子機器（クライアント機器またはシンク機器）は、ＤＴＣＰ（Digital Transmission Content Protection）−ＩＰ技術を利用して、ＤＬＮＡ認証を受けた電子機器（サーバ機器またはソース機器）に記録したコンテンツを再生できる。ユーザは、例えば、ソース機器に記録された地上デジタル放送の録画コンテンツを、シンク機器で再生して視聴できる。また、ユーザは、シンク機器に記録された録画コンテンツのリストとソース機器に記録された録画コンテンツのリストとを統合して表示する機能を利用することにより、家庭内に記録した録画コンテンツをシンク機器側で一括して把握することが可能である。
【０００３】
上記の統合された統合番組リストにおいては、コンテンツの情報と各コンテンツに対応したサムネイル画像とが表示されることが可能である。サムネイル画像を生成する方法としては、コンテンツ中に含まれる映像を利用する方法とデータベース中に記録された画像といったコンテンツ中に含まれない映像を利用する方法とが知られている。
【先行技術文献】
【特許文献】
【０００４】
【特許文献１】特開２００９−１０６９２号公報
【発明の概要】
【発明が解決しようとする課題】
【０００５】
ところで、ＤＬＮＡ認証されたソース機器に記録されたコンテンツに対して、コンテンツ中に含まれる映像を利用してサムネイル画像を生成し、シンク機器に表示することは、著作権保護の観点からできない。従って、上述の統合番組リストでは、シンク機器に記録されたコンテンツに対しては、コンテンツ中に含まれる映像を利用してサムネイル画像を表示することができるが、ソース機器に記録されたコンテンツに対しては、コンテンツ中に含まれる映像を利用したサムネイル画像を表示することができないという問題がある。
【０００６】
実施形態に係る電子機器は、上記事情に鑑み、シンク機器が表示する統合番組リストにおいて、ソース機器に記録されたコンテンツに対しては代替のサムネイル画像を対応させることを解決する課題とする。
【課題を解決するための手段】
【０００７】
実施形態に係る電子機器は、自機が記録したコンテンツの情報と、少なくとも１つ以上の通信可能な他機が記録したコンテンツの情報との統合情報を表示させる指示を受け付ける受信部と、コンテンツの情報と関連づけられた画像データが記録された画像記録部と、前記指示に基づいて、前記他機が記録した前記コンテンツの情報を取得する情報取得部と、前記取得したコンテンツの情報に前記画像記録部に記録された画像を対応させる画像抽出部と、を備える。
【図面の簡単な説明】
【０００８】
【図１】図１は、第１の実施形態に係る電子機器１Ａの構成を示す図である。
【図２】図２は、大分類および中分類の一覧表の例を示した図である。
【図３】図３は、メインジャンルおよびサブジャンルに対応する画像の一覧表の例を示した図である。
【図４】図４は、第２の実施形態に係る電子機器１Ｂの構成を示す図である。
【図５】図５は、複数の電子機器が家庭内ネットワークに接続されているシステム５を示した概念図である。
【図６Ａ】図６Ａは、Ｚ１のタイムシフト録画した番組表を示した図である。
【図６Ｂ】図６Ｂは、Ｚ２のタイムシフト録画した番組表を示した図である。
【図７】図７は、番組リスト６Ａおよび番組リスト６Ｂを統合した番組リスト７を示した図である。
【図８Ａ】図８Ａは、番組情報と画像生成部２２０が抽出した画像とを併せた番組欄の表示例である。
【図８Ｂ】図８Ｂは、番組情報と番組内容から生成したサムネイル画像とを併せた番組欄の表示例である。
【図９】図９は、番組の放送中または再生中の映像９Ａに番組リスト９Ｂを重畳した表示画面の例である。
【図１０】図１０は、番組の放送中または再生中の映像９Ａに番組リスト９Ｂを重畳した表示画面の更なる例である。
【図１１】図１１は、サムネイル設定画面１０の一例を示した図である。
【発明を実施するための形態】
【０００９】
以下、図面を参照しながら実施形態に係る電子機器１Ａおよびシステムについて説明する。なお、本願明細書において、ＤＬＮＡ認証された電子機器がソース機器（またはサーバ機器）であるとは、ＤＬＮＡ認証された別の電子機器へコンテンツを配信する主体であることを意味する。同じ電子機器であっても、コンテンツを受信する主体であるときは、シンク機器（またはクライアント機器）であるとする。即ち、同一の電子機器がソース機器にもシンク機器にもなりうる。
【００１０】
（第１の実施形態）  
図１は、第１の実施形態に係る電子機器１Ａの構成を示す図である。
【００１１】
図１に示すように、第１の実施形態に係る電子機器１Ａは、アンテナ１０１、入力端子１０２、チューナー部１０３、外部入力端子１０４〜１０７、信号処理部１０８、コントローラ１１０、ＯＳＤ信号生成部１１１、グラフィック処理部１１２、映像処理部１１３、音声処理部１１４、操作部１１５、受信部１１７、カードホルダ１１９、カードインターフェース１２０、明るさセンサ１２１、ＬＡＮ端子１２２、通信インターフェース１２３、ＵＳＢ端子１２４、ＵＳＢインターフェース１２５、ＨＤＭＩ（登録商標）端子１２８、ＨＤＭＩインターフェース１２９、映像表示部１４１、スピーカ１４２、記録部１５１を備えている。
【００１２】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した番組表を受信し、表示することができる。また、ＢＳ／ＣＳデジタルテレビジョン放送用のチューナーにより、ＢＳ／ＣＳデジタルテレビジョン放送に対応した番組表を受信し、表示することもできる。
【００１３】
また、本実施形態では、図１に示すように、電子機器１Ａが、映像表示部１４１及びスピーカ１４２を備えるケースについて説明する。しかしながら、電子機器１Ａは、このような構成に限定されるものではない。例えば、電子機器１Ａは、映像表示部１４１及びスピーカ１４２を含まない構成であってもよい。つまり、電子機器１Ａは、ＨＤＭＩ等の接続手段を介して映像表示部１４１及びスピーカ１４２と接続する構成であってもよい。
【００１４】
また、本実施形態では、図１に示すように、電子機器１Ａが、記録部１５１を備えるケースについて説明する。しかしながら、電子機器１Ａは、このような構成に限定されるものではない。例えば、電子機器１Ａは、記録部１５１を含まない構成であってもよい。つまり、電子機器１Ａは、ＵＳＢ端子１２４及びＵＳＢインターフェース１２５などの接続手段を介して外部記憶装置（ＨＤＤなど）と接続する構成であってもよい。
【００１５】
また、本実施形態では、図１に示すように、電子機器１Ａが、複数のチューナーを備えるケースについて説明する。しかしながら、電子機器１Ａは、このような構成に限定されるものではない。例えば、電子機器１Ａが、複数のチューナーを含まない構成であってもよい。その場合、例えば、電子機器１Ａは、ＬＡＮ端子１２２を介してＩＰ（Internet Protocol）放送を受信し、ＩＰ放送の複数チャンネルに対応した番組を再生したり、録画したりする構成であってもよい。
【００１６】
以下、電子機器１Ａの詳細について説明する。
【００１７】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、信号処理部に供給されて、デジタルの映像信号及び音声信号に復調される。
【００１８】
ここで、上記信号処理部１０８は、上記デジタルの映像信号及び音声信号に対して、選択的に所定のデジタル信号処理を施し、グラフィック処理部１１２及び音声処理部１１４に出力している。
【００１９】
また、上記信号処理部１０８には、例えば４つの入力端子１０４〜１０７が接続されている。これら入力端子１０４〜１０７は、それぞれ、アナログの映像信号及び音声信号を、電子機器１Ａの外部から入力可能とするものである。
【００２０】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００２１】
このうち、グラフィック処理部１１２は、信号処理部１０８から供給されるデジタルの映像信号に、ＯＳＤ（on screen display）信号生成モジュール１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力すること、また、両出力をそれぞれ画面の半分を構成するように組み合わせて出力することができる。
【００２２】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００２３】
また、上記音声処理部１１４は、入力されたデジタルの音声信号を、スピーカ１４２で再生可能なフォーマットのアナログ音声信号に変換した後、スピーカ１４２に出力して音声再生させる。
【００２４】
ここで、この電子機器１Ａは、上記した各種の受信動作を含むその全ての動作をコントローラ１１０によって統括的に制御されている。コントローラ１１０は、ＣＰＵ（central processing unit）１１００等を備え、操作部１１５からの操作情報（各種指示）、または、リモートコントローラ１１６から送出され受信部１１７を介して受信した操作情報（各種指示）を受けて、その操作内容が反映されるように各モジュール等をそれぞれ制御する。またコントローラ１１０は、コンテンツの再生制御の機能も有しており、入力された操作情報に応じてコンテンツ再生を制御する。なお、受信部１１７及びリモートコントローラ１１６は、電波等を用いる無線通信により操作信号の送受信を行うものであってもよいし、赤外線を利用するものであってもよい。
【００２５】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３とを備えている。不揮発性メモリ１１０３は、例えば、画像記録部１１０４を記憶領域の一部として含む。または、画像記録部１１０４は、不揮発性メモリ１１０３そのものであってもよい。画像記録部１１０４は、コンテンツの情報と関連づけられた画像データが記録されている。または、画像記録部１１０４は、コントローラ１１０の外部に設けられた記録部１５１内に設けられていてもよい。コントローラ１１０は、情報取得部２１０および画像抽出部２２０を更に備える。情報取得部２１０は、ＤＬＮＡ認証されたソース機器に記録されたコンテンツの情報を取得する。画像抽出部２２０は、ソース機器から取得したコンテンツの情報に画像記録部１１０４に記録された画像を対応させる。
【００２６】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２７】
また、上記コントローラ１１０は、通信インターフェース１２３を介してＬＡＮ端子１２２と接続されている。これにより、コントローラ１１０は、ＬＡＮ端子１２２に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。ＬＡＮ端子１２２は、無線ＬＡＮの子機が接続されていてもよく、有線ＬＡＮの端子が接続されていてもよい。また、電子機器１Ａは、無線ＬＡＮの子機またはBluetooth（登録商標）接続可能な通信端末が内蔵されていてもよい。実施形態に係る電子機器１Ａは、ＤＬＮＡ認証された電子機器であり、例えば、通信インターフェース１２３を介してネットワークに接続されている他の映像受信装置および録画機器と相互に通信可能である。電子機器１Ａは、例えば、ネットワークに接続されている他の映像受信装置または録画機器が記録したコンテンツの情報を取得できる。即ち、この場合、電子機器１Ａはシンク機器となり、映像受信装置または録画機器はソース機器である。また、電子機器１Ａは、例えば、ネットワークに接続されている他の映像受信装置または録画機器に対して、電子機器１Ａ自身が記録しているコンテンツの情報を送信できる。即ち、この場合、電子機器１Ａはソース機器となり、映像受信装置および録画機器はシンク機器である。
【００２８】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００２９】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００３０】
さらに、上記コントローラ１１０は、明るさセンサ１２１からの明るさ検出信号を受信するように構成されている。これにより、コントローラ１１０は、明るさ検出信号に基づき、映像及びバックライトの明るさ等を制御することができる。
【００３１】
さらに、上記コントローラ１１０は、チューナー部１０３により選局されデスクランブルされた放送信号を、記録部１５１またはＬＡＮ端子１２２もしくはＵＳＢ端子１２４を介して接続された外部記憶装置（ＨＤＤなど）へ録画するための録画動作を制御することもできる。上記したように、チューナー部１０３は、複数のチューナー１０３１〜１０３８を備えているので、電子機器１Ａは、同時に、複数チャンネルの番組を録画したり、複数チャンネルの番組を表示したりすることができる。また、電子機器１Ａは、スクランブル放送を認証する機能も備えている。なお、以下では、同時に複数チャンネルの番組をシームレスに録画することをタイムシフト録画と称する。
【００３２】
以上が、実施形態に係る電子機器１Ａの構成の概略的な説明である。以下に、電子機器１Ａが備える、画像記録部１１０４、情報取得部２１０および画像抽出部２２０、について更に説明する。
【００３３】
画像記録部１１０４は、コンテンツの情報に対応付けられた画像が複数記録されている。コンテンツの情報は、例えば、記録した番組のジャンル情報や、番組タイトル、番組出演者、番組情報中のキーワードなどである。コンテンツのジャンル情報とは、例えば、ＡＲＩＢ  ＳＴＤ−Ｂ１０にて規定されている大分類および中分類のジャンル情報である。図２は、画像記録部１１０４中に記録された上記大分類および中分類のジャンル項目が記載された記載された一覧表２の例である。第１列Ｃ１目には大分類であるメインジャンルが記載されている。第２列Ｃ２目以降には、中分類であるサブジャンルが記載されている。例えば、第３行目のメインジャンルはスポーツであり、スポーツのサブジャンルとして、野球、サッカー、ゴルフ等が記載されている。表には空白行ｒ１が設けられており、ユーザは、例えば、通信インターフェース端子１２２またはＵＳＢ端子１２４を介して、新しいメインジャンル並びにサブジャンルおよびそれらに対応した画像を画像記録部１１０４に追加することができる。図３は、メインジャンルおよびサブジャンルに対応する画像の一覧表３の例である。一覧表３において、一番左の列には、メインジャンルに対応した画像である、Ｓ１０，Ｓ２０、Ｓ３０およびＳ４０が表示されている。画像Ｓ１１、Ｓ１２およびＳ１３は、それぞれ、サブジャンル“経済・市況”、“天気”および“政治・国会”に対応する画像であり、メインジャンル“ニュース／報道”に対応する画像Ｓ１０の右側に表示されている。メインジャンルおよびサブジャンルに対応する画像は、ジャンル項目毎に複数登録されていてもよい。
【００３４】
情報取得部２１０は、ユーザからの指示を受けて、ネットワークに接続された通信可能な他機（ソース機器）に記録されたコンテンツの情報を取得できる。上記取得可能な情報は、例えば、他機に記録された番組のリストおよび各番組のジャンル情報、番組タイトル、番組出演者、番組情報中のキーワードなどである。情報取得部２１０がソース機器から取得可能な情報は、著作権保護されていない、ネットワークを介してダウンロード可能な情報である。なお、情報取得部２１０は、ソース危機に記録された著作権保護されたコンテンツをストリーム再生することもできる。例えば、情報取得部２１０は、他機に記録された放送番組の内容そのものをストリーム再生することができる。
【００３５】
画像抽出部２２０は、ソース機器から取得した各番組のジャンル情報に対応する画像を画像記録部１１０４から抽出する。画像抽出部２２０は、ソース機器から取得した、番組タイトル、番組出演者、番組情報中のキーワードなどから番組のジャンルを判断してもよい。画像抽出部２２０は、例えば、番組タイトルが“熱血ゴルフ”であった場合、番組のジャンルはゴルフであるとし、画像記録部１１０４から適切な画像を取得する。または、画像抽出部２２０は、不揮発性メモリ等に記録されたルックアップテーブルを参照して、上記ジャンル情報等から対応する画像を抽出してもよい。
【００３６】
画像記録部１１０４から抽出された画像は、例えば、ソース機器から取得した番組の番組リストなどを表示器に表示する際に、併せて重畳されることができる。
【００３７】
上記の構成を採用した実施形態に係る電子機器１Ａは、情報取得部２１０が取得するソース機器に記録されたコンテンツに対して、コンテンツの内容からサムネイル画像を生成する代わりに、代替のサムネイル画像を対応付けることができる。
【００３８】
（第２の実施形態）
図４は、第２の実施形態に係る電子機器１Ｂの構成を示す図である。第２の実施形態に係る電子機器１Ｂは、更に、情報統合部２３０および統合情報表示部２４０を有する。
【００３９】
情報統合部２３０は、自機（シンク機器）に記録された情報と他機（ソース機器）に記録された情報とを統合することができる。情報統合部２３０は、例えば、シンク機器に記録された番組の番組リストとソース機器に記録された番組の番組リストとを統合することができる。
【００４０】
統合情報表示部２４０は、情報統合部２３０が統合した情報と画像抽出部２２０が抽出した画像とを併せた情報を表示器に表示する。統合情報表示部２４０は、例えば、ソース機器に記録した番組に対応したサムネイル代替画像とシンク機器に記録した番組に対応したサムネイル画像とを併せて表示した番組リストを生成して表示することが可能である。
【００４１】
以下、図５を参照しながら、第２の実施形態に係る電子機器１Ｂの特徴を更に具体的に説明する。図５は、ＤＬＮＡ認証された複数の電子機器が家庭内ネットワークに接続されているシステム５を示した概念図である。システム５では、第２の実施形態に係る電子機器１Ｂ（以下、Ｚ１）、タイムシフト録画可能なテレビ５２よびレコーダー５６（以下、Ｚ２およびＲ１）およびタイムシフト録画機能を有さないテレビ５４（以下、Ｊ１）が、互いに通信可能な状態でネットワークに接続されている。Ｊ１は、チューナー部１０３がチューナーを１つしか持たず、記録部１５１を有さない点がＺ１およびＺ２と異なる。Ｒ１は、Ｚ１およびＺ２と同様にチューナーを複数有し、タイムシフト録画可能であるが、以下では、簡単のため、Ｚ１およびＺ２のみがタイムシフト録画しているものとする。システム５において、シンク機器であるＺ１の情報取得部２１０は、ソース機器であるＺ２に記録された番組の番組リストを、ネットワークを介して取得することができる。
【００４２】
図６Ａおよび６Ｂは、それぞれ、Ｚ１およびＺ２のタイムシフト録画した番組表を示した図である。図６Ａおよび６Ｂにおいて、第１列目Ｃ１は番組を記録した日時が記載され、第２列目Ｃ２〜第４列目Ｃ４は、放送局毎に記録した番組が記載されている。Ｚ１は、放送局１、放送局２および放送局３の番組を１０：００〜１９：００の間記録している。Ｚ２は、放送局２、放送局４および放送局５の番組を１０：００〜１９：００の間記録している。即ち、Ｚ１およびＺ２は、放送局２が１０：００〜１９：００の間に放送した番組８〜番組１４を共通して記録している。なお、シンク機器がソース機器に記録された番組のリストを表示した場合、ソース機器に記録された番組のリストは、ネットワーク越しに取得したことがわかるように、例えば、番組リスト中の放送局名の欄に目印またはソース機器の名前が表示される。従って、シンク機器の番組リスト６Ａには印がつけられていないが、ソース機器の番組リスト６Ｂには放送局の欄にソース機器の名前Ｚ２が表示されている。また、例えば、Ｊ１がＺ１およびＺ２の番組リストを取得した場合、番組リスト６Ａおよび番組リスト６Ｂの双方に目印またはソース機器の名前Ｚ１またはＺ２が表示される。また、ソース機器の番組リスト６Ｂでは、ソース機器とシンク機器との通信状態を表した電波マークが印されてもよい。
【００４３】
図７は、情報統合部２３０によって番組リスト６Ａおよび番組リスト６Ｂを統合した番組リスト７を示した図である。即ち、図７に示された番組リスト７は、家庭内のネットワークに接続された機器に記録された番組のすべてを表示した番組リストである。図６Ａおよび図６Ｂと同様に、第１列目Ｃ１は番組を記録した日時が記載され、第２列目Ｃ２〜第６列目Ｃ６は、放送局毎に記録した番組が記載されている。第５列目Ｃ５および第６列目Ｃ６は、ソース機器から取得した番組のリストであり、第１行目の放送局名の欄Ｂ１およびＢ２にはソース機器の名前Ｚ２が表示されている。Ｚ１およびＺ２は、それぞれ、３つの放送局の番組を記録しているが、放送局２がＺ１およびＺ２の双方で重複して記録されているため、番組リスト７では、５つの放送局の番組が表示されている。また、番組リスト７では、上方右端に、ソース機器とシンク機器との通信状態を表した電波マークが印されてもよい。
【００４４】
図６Ａ、６Ｂおよび７は、記録された番組リストの二、三の例である。第２の実施形態に係る電子機器１Ｂは、更に他の番組リストを表示することも可能である。電子機器１Ｂは、例えば、自機（シンク機器）に記録された番組リストの番組欄に番組内容から生成したサムネイル画像を重畳し、ソース記録に記録された番組リストの番組欄に画像抽出部２２０が抽出した画像を重畳した番組リストを表示することも可能である。図８Ａおよび図８Ｂは、それぞれ、番組情報と画像生成部２２０が抽出した画像とを併せた番組欄の表示例および番組情報と番組内容から生成したサムネイル画像とを併せた番組欄の表示例である。図８Ａおよび図８Ｂのそれぞれにおいて、画像の左上に放送局のロゴが表示され、画像の中央付近には、記録された番組の放送日時および番組タイトルが表示されている。図８Ａは、図８Ｂと異なり、画像の右上にジャンル名が更に表示されていて、画像記録部１１０４から抽出された、番組ジャンルに対応した画像であることが示されている。
【００４５】
図９は、統合情報表示部２４０が、番組の放送中または再生中の映像９Ａに番組リスト９Ｂを重畳した表示画面の例である。番組リスト９Ｂは、放送中もしくは再生中の番組と関連するかまたは同じジャンルの番組を、家庭内で記録した全ての番組から抽出して横一列に表示している。ここでは、Ｚ１およびＺ２で記録した全ての録画番組から番組を抽出している。横一列に表示された番組欄は、放送中もしくは再生中の番組と関連するかまたは同じジャンルの番組のうち、ユーザの嗜好にあったおすすめ番組のみを表示してもよい。なお、番組リスト９Ｂは、ユーザのリモートコントロール１１６のキー操作によって、表示画面に表示された番組欄のみではなく、更なる番組欄を表示することが可能である。
【００４６】
番組リスト９Ｂに表示されている各番組欄は、番組情報とともに、番組内容から生成したサムネイル画像かまたは画像記録部１１０４から抽出した画像が表示されている。番組リスト９Ｂにおいて、Ｐ９１、Ｐ９３およびＰ９５は、ソース機器に記録された番組の番組欄であり、画像記録部１１０４から抽出された画像が表示されている。番組リスト９Ｂにおいて、Ｐ９２、Ｐ９４およびＰ９６は、シンク機器に記録された番組の番組欄であり、番組内容から生成したサムネイル画像が表示されている。
【００４７】
番組リスト９Ｂの一番左端は、ジャンル名が表示されており、ユーザは、リモートコントローラ１１６のキーを押下することにより、番組リスト９Ｂに表示する番組ジャンルを変更することが可能である。番組リスト９Ｂは、例えば、放送中または再生中の映像９Ａに対して、全表示領域の下側３分の１の領域内に重畳して表示される。番組リスト９Ｂは、全表示領域の下側２分の１、４分の１、５分の１または１０分の１の領域内に重畳して表示されてもよい。なお、番組リスト９Ｂは、図１０に示すように、上方右端に、ソース機器とシンク機器との通信状態を表した電波マークが印されてもよい。
【００４８】
番組リスト９Ｂは、全表示領域の下側に重畳して表示されるため、放送中または再生中の映像は縮小されない。従って、ユーザは、番組リスト９Ｂを表示した場合、現在放送中または再生中の映像９Ａを参照しながら、自分の嗜好に合致した録画番組を選ぶことができる。また、番組リスト９Ｂは、現在放送中または再生中の映像９Ａに重畳されて表示されるため、ユーザは、現在表示中の番組と録画番組との関連を容易に確認できる。また、ユーザは、番組リスト９Ｂが表示される際に映像９Ａが縮小しないため、画面が伸縮する鬱陶しさを感じずにすむ。
【００４９】
なお、番組リスト９Ｂは、表示されてから何も操作されずに所定の時間が経過すると、表示されなくなるようにしてもよい。所定の時間とは、例えば、１０秒、２０秒、３０秒または６０秒などであり、予めユーザが設定しておけるようにしてあってもよい。この場合、設定値はメモリ等に記憶される。または、番組リスト９Ｂは、再生する番組を決定した場合に表示されなくなるようにしてもよい。
【００５０】
また、ユーザは、自機および／またはソース機器に記録されたコンテンツ情報に適した画像を手動で選択して対応づけることが可能である。図１１は、選択した記録番組に手動で画像を対応づける際のサムネイル設定画面１０の一例を示した図である。画面左上には、“サムネイルを設定してください”という文字が表示され、画面左側中央には、代替画像を選択する番組の番組情報が表示された番組情報欄１００が表示されている。画面右側には、サムネイル画像の代替画像Ｓ１〜Ｓ５が複数表示されており、ユーザは代替画像を選択できる。ユーザは、スクロールバー２００を選択することによって更に別の代替画像を表示させることができる。
【００５１】
上で説明した、種々の番組リストは、リモートコントローラ１１６に設けられた所定のキーを押下する１度の操作によって表示器に表示可能である。また、リモートコントローラ１１６に設けられたメニュー画面を表示するキーを押下した後、表示器に表示されたメニュー選択画面から番組リストを表示させることもできる。例えば、ユーザは、リモートコントローラの１回のキー操作のみで、テレビ番組の放送中に、家庭内ネットワークに接続された全ての機器に記録された録画番組の中から、放送されている番組と同じジャンルであり且つ自分の嗜好に合致した録画番組だけを抽出して番組リスト９に表示させることができる。
【００５２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５３】
１Ａ、１Ｂ…電子機器、０１…アンテナ、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサ、１２２…ＬＡＮ端子、１２３…通信インターフェース、１２４…ＵＳＢ端子、１２５…ＵＳＢインターフェース、１２８…ＨＤＭＩ端子、１２９…ＨＤＭＩインターフェース、１４１…映像表示部、１４２…スピーカ、１５１…記録部、２１０…情報取得部、２２０…画像抽出部、２３０…情報統合部、２４０…統合情報表示部、１１０４…画像記録部
【図１】
2016063517.tif 000003
【図２】
2016063517.tif 000004
【図３】
2016063517.tif 000005
【図４】
2016063517.tif 000006
【図５】
2016063517.tif 000007
【図６Ａ】
2016063517.tif 000008
【図６Ｂ】
2016063517.tif 000009
【図７】
2016063517.tif 000010
【図８Ａ】
2016063517.tif 000011
【図８Ｂ】
2016063517.tif 000012
【図９】
2016063517.tif 000013
【図１０】
2016063517.tif 000014
【図１１】
2016063517.tif 000015